(57)【特許請求の範囲】
【請求項１】
筐体と、前記筐体内に配置された、長軸及び皮膚処置部を受容するための端部を持つシャフトと、前記長軸のまわりに前記シャフトを回転させ前記長軸に沿った方向に振動させるように構成された駆動手段と、を有する、皮膚を処置するための装置であって、前記駆動手段は、前記シャフトを回転させるための回転駆動ユニットと、前記シャフトを振動させるための振動発生器と、を有し、前記振動発生器は、前記シャフトが前記振動発生器に対して回転可能なように前記シャフトのまわりに配置され、前記振動発生器は、ソレノイド及び磁束アセンブリを有し、前記磁束アセンブリは、前記シャフトに沿って前記ソレノイドに対して移動可能である、装置。
【請求項２】
前記回転駆動ユニット及び前記振動発生器は、前記シャフトの回転の速度と振動の周波数とが、ユーザ入力に応じて互いとは独立に変更させられることができるように構成された、請求項１に記載の装置。
【請求項３】
前記磁束アセンブリは、内側磁束収束器及び外側磁束収束器と、前記内側磁束収束器と前記外側磁束収束器との間に配置された磁石と、を有する、請求項１に記載の装置。
【請求項４】
前記外側磁束収束器は、周縁側面パネルを持つ基部パネルからつくられ、前記内側磁束収束器は、前記周縁側面パネル内に受容され、前記磁石は、前記内側磁束収束器と前記基部パネルとの間に配置され、前記内側磁束収束器と前記周縁側面パネルとの間に前記ソレノイドを受容するための間隙が形成された、請求項３に記載の装置。
【請求項５】
前記装置は更に、前記シャフトを保持する第１の支持部及び第２の支持部を有し、前記磁束アセンブリは、前記第１の支持部と前記第２の支持部との間において前記シャフトのまわりに配置され、前記ソレノイドは、前記支持部の一方に装着された、請求項１に記載の装置。
【請求項６】
前記シャフトが、前記長軸のまわりに前記支持部に対して回転可能であるが、前記支持部の少なくとも一方に対して前記長軸に沿って動くことが防がれるように、前記第１の支持部及び前記第２の支持部によって保持された、請求項５に記載の装置。
【請求項７】
前記シャフトは前記支持部の１つが配置された周縁溝を有し、前記周縁溝に配置された前記支持部の１つに対して前記シャフトが前記長軸に沿って動くことを防ぐ、請求項６に記載の装置。
【請求項８】
前記シャフトは前記支持部の１つに備えられたｅクリップが配置される周縁溝を有し、前記周縁溝に配置された前記ｅクリップを備えた前記支持部の１つに対して前記シャフトが前記長軸に沿って動くことを防ぐ、請求項６に記載の装置。
【請求項９】
前記支持部の１つが、前記磁束アセンブリが振動すると前記磁束アセンブリが衝突する止め部を備えて形成された、請求項５乃至８のいずれか一項に記載の装置。
【請求項１０】
前記第１の支持部又は第２の支持部と前記磁束アセンブリとの間に、前記磁束アセンブリが振動するときの衝撃を低減させるためのばねが配置された、請求項５乃至９のいずれか一項に記載の装置。
【請求項１１】
前記装置は更に、前記駆動手段に電力供給する電源を有する、請求項１乃至１０のいずれか一項に記載の装置。
【請求項１２】
前記装置は更に、前記電源により供給される電流を交流電流に変換するためのインバータを有する、請求項１１に記載の装置。
【請求項１３】
前記装置は更に、前記交流電流の周波数を変化させるための周波数変換器を有する、請求項１２に記載の装置。
【発明の詳細な説明】
【技術分野】
【０００１】
本発明は、ユーザの皮膚の洗浄、角質除去及びマッサージといった、皮膚を処置するための装置に関する。
【背景技術】
【０００２】
皮膚を洗浄、角質除去（exfoliating）及びマッサージするための装置を提供することは知られている。これら装置は、回転するように構成されたブラシ又はその他のタイプの皮膚処置部を有する。使用時には、回転するブラシが皮膚に置かれ、回転運動が微小循環を刺激し、埃及び壊死した皮膚を取り除いて、ユーザの皮膚を平滑で清浄な感触のものに保つ。
【発明の概要】
【発明が解決しようとする課題】
【０００３】
ブラシが回転に加えて振動するように構成され、それにより洗浄の感覚及び処置された皮膚の感覚を改善する、皮膚を処置するための装置を提供することも知られている。しかしながら、回転運動の速度と振動運動の周波数とは、ユーザによって別個に変更されることができず、従ってユーザは個人的な好みに該装置を調節することができない。
【０００４】
本発明の目的は、上述した問題を大きく軽減する又は克服する、皮膚を処置するための装置を提供することにある。
【課題を解決するための手段】
【０００５】
本発明によれば、筐体と、前記筐体内に配置された、長軸及び皮膚処置部を受容するための端部を持つシャフトと、前記長軸のまわりに前記シャフトを回転させ前記長軸に沿った方向に振動させるように構成された駆動手段と、を有する、皮膚を処置するための装置であって、前記駆動手段は、前記シャフトを回転させるための回転駆動ユニットと、前記シャフトを振動させるための振動発生器と、を有し、前記振動発生器は、前記シャフトが前記振動発生器に対して回転可能なように前記シャフトのまわりに配置され、前記振動発生器は、ソレノイド及び磁束アセンブリを有し、前記磁束アセンブリは、前記シャフトに沿って前記ソレノイドに対して移動可能である、装置が提供される。
【０００６】
当該構成は、使用時に、皮膚処置部がシャフトの端部に装着されると、該皮膚処置部が、皮膚と略垂直に動き、皮膚に対する洗浄及びマッサージ効果を改善するという利点をもたらす。更に、振動発生器が回転駆動ユニットに結合されず、そのため振動運動がシャフトの回転とは独立して制御されることができる。
【０００７】
好適には、前記回転駆動ユニット及び前記振動発生器は、前記シャフトの回転の速度と振動の周波数とが、ユーザ入力に応じて互いとは独立に変更させられることができるように構成される。
【０００８】
それ故有利にも、ユーザは回転の周波数及び速度を、該ユーザの個人的な好みに調節することができる。
【０００９】
好適には、前記磁束アセンブリは、内側磁束収束器及び外側磁束収束器と、前記内側磁束収束器と前記外側磁束収束器との間に配置された磁石と、を有する。
【００１０】
該磁束アセンブリの構成は、磁石により発せられる磁力を集中させる。
【００１１】
一実施例においては、前記外側磁束収束器は、周縁側面パネルを持つ基部パネルからつくられ、前記内側磁束収束器は、前記周縁側面パネル内に受容され、前記磁石は、前記内側磁束収束器と前記基部パネルとの間に配置され、前記内側磁束収束器と前記周縁側面パネルとの間に前記ソレノイドを受容するための間隙が形成される。
【００１２】
便利にも、前記装置は更に、前記シャフトを保持する第１の支持部及び第２の支持部を有し、前記磁束アセンブリは、前記第１の支持部と前記第２の支持部との間において前記シャフトのまわりに配置され、前記ソレノイドは、前記支持部の一方に装着される。
【００１３】
有利にも、該磁束アセンブリは、第１の支持部と第２の支持部との間に保持され、誤ってシャフトから落ちることがない。
【００１４】
便利にも、前記シャフトが、前記長軸のまわりに前記支持部に対して回転可能であるが、前記支持部の少なくとも一方に対して前記長軸に沿って動くことが防がれるように、前記第１の支持部及び前記第２の支持部によって保持される。
【００１５】
当該構成は、磁束アセンブリの軸方向の動きが、該磁束アセンブリが支持部の少なくとも１つに当たるときに、シャフトへと伝達されることを可能とする。
【００１６】
該シャフトは周縁溝を有しても良く、支持部の１つが、該溝に配置された該支持部に対して長軸に沿って該シャフトが動くことを防ぐように位置しても良い。
【００１７】
有利にも、磁束アセンブリが該溝に配置された支持部に当たるときに、該支持部が軸方向に動かされ、軸方向の動きをシャフトに伝達する。
【００１８】
前記支持部の１つが、前記周縁溝に位置するｅクリップを備えて形成されても良い。
【００１９】
このことは、磁束アセンブリの軸方向の動きがｅクリップを備えて形成された支持部へと伝達され、該ｅクリップが該溝に位置するため、該軸方向の動きがシャフトに伝達されるという利点をもたらす。
【００２０】
好適には、前記支持部の１つが、前記磁束アセンブリが振動すると前記磁束アセンブリが衝突する止め部を備えて形成される。
【００２１】
該止め部が磁束アセンブリと当たるため、該止め部を備えて形成された支持部の摩耗が、有利にも低減される。
【００２２】
一実施例においては、前記第１の支持部又は第２の支持部と前記磁束アセンブリとの間に、前記磁束アセンブリが振動するときの衝撃を低減させるためのばねが配置される。
【００２３】
当該構成は有利にも、磁束アセンブリが第１及び第２の支持部と当たるときに生成される可聴の雑音を低減する。
【００２４】
該装置は更に、該駆動手段に電力供給する電源を有する。
【００２５】
有利にも、当該構成は、単一の電源が駆動手段に電力供給することを可能とし、該装置のサイズ及び重量を低減させる。
【００２６】
一実施例においては、該装置は更に、電源により供給される電流を交流電流に変換するインバータを有する。
【００２７】
このことは、ソレノイドの極性を変化させ、それにより磁石に引き寄せられることと反発されることとを交番させる。
【００２８】
便利にも、該装置は、交流電流の周波数を変化させるための周波数変換器を有しても良い。
【００２９】
有利にも、該周波数変換器は、ユーザ入力に応じて周波数を変化させ、シャフトの振動運動及び従ってブラシの振動運動の強度が、ユーザの個人的な好みに変更させられ得るように構成される。
【００３０】
本発明のこれらの及び他の態様は、以下に説明される実施例を参照しながら説明され明らかとなるであろう。
【図面の簡単な説明】
【００３１】
【図１】装置の筐体が一部省略された、皮膚を処置するための装置の実施例の側面図を示す。
【図２】図１に示された実施例の側面図の近接図を示す。
【図３】シャフト、振動発生器及び列歯車の断面図を示す。
【図４】図３に示されたシャフトの側面図を示す。
【図５】図３に示された振動発生器の半分の断面の模式的な図を示す。
【発明を実施するための形態】
【００３２】
図面を参照すると、図１において、皮膚を処置するための装置１が示されている。装置１は、ユーザによって保持されるのに適した第１の手持ち領域４と、ブラシ３に接続されるように構成された第２のヘッド領域５と、を持つ。
【００３３】
第１の領域４は、バッテリ７を囲んでいる。バッテリ７は、再充電可能であっても良い。代替の電源が利用されても良く、例えば該装置が電源の壁コンセントに接続可能であっても良いことは、理解されるべきである。バッテリ７は、第２の領域５に配置された振動発生器２６及び回転駆動ユニットを有する駆動手段に電力供給する。振動発生器２６は、筐体に配置されたシャフト１４を該シャフトの長軸に沿って振動させるように構成され、回転駆動ユニットは、シャフト１４を該シャフトの長軸のまわりに回転させるように構成される。筐体２は更に、該装置をスイッチオン／オフし、該装置を以下に詳細に説明される種々の振動及び回転動作モードへと切り換えるための、動作スイッチ（図示されていない）を備える。
【００３４】
シャフト１４は、ブラシ１４に接続するように構成され、筐体２の第２の領域５に配置される。該シャフト１４は、フレーム１１によって保持され支持される。フレーム１１は、図３において最も良く示されており、振動発生器２６のための空間を提供するように互いから離隔された第１の支持部及び第２の支持部を有し、これら支持部はそれぞれ前方支持部１２及び後方支持部１３と呼ぶ。シャフト１４は、以下の説明から明らかとなるように、前方支持部１２及び後方支持部１３に対して回転するように構成される。
【００３５】
シャフト１４は、図４に詳細に示されており、全体的に棒のような形状を持ち、長軸Ａを持つ。シャフト１４は好適にはステンレス鋼からできており、シャフト１４の長手方向Ａに延在する隆線を備えて形成された畝のある端部１５を有する。該シャフトが筐体２に配置されると、該畝のある端部１５は筐体２の第２の領域５から突出し、ブラシ３に形成された対応する凹部１７（図２参照）に接続する。ブラシ３の凹部１７はプラスチックから形成され、該ブラシは、隆線１６間を該凹部のプラスチックが完全に通るように、圧入によってシャフト１４の畝のある端部１５に装着される。畝のある端部１５の隆線１６は、シャフト１４の長軸Ａのまわりの回転方向にブラシ３の凹部１７と力学的に咬み合わせられるため、ブラシ３とシャフト１４との間の接続を改善する。綿パッド又はクッションのような、洗浄、角質除去又はマッサージ効果を持つ、いずれの代替の皮膚処置部もが、畝のある端部に接続され得るため、本発明は筐体に接続されたブラシに限定されるものではないことは、理解されるべきである。
【００３６】
シャフト１４と畝のある端部１５に隣接する筐体２との間に、封止部（図示されていない）が備えられ、シャフト１４と筐体２との間に水密封止を形成しても良い。
【００３７】
図４から明らかであるように、畝のある端部１５とは反対側の端１９において、シャフト１４は軸方向に沿った切欠き部１８を備えるよう形成され、これにより長軸を横切る該シャフトの断面形状は「Ｄ」型となる。該端１９は、回転駆動ユニットの一部を形成する歯車２０（図２及び３参照）の対応する中心に位置する。
【００３８】
回転駆動ユニットは、第１の領域４と第２の領域５との間において筐体２のなかに配置されたモータ８を有する。モータ８は、図２において最も良く示されるようにモータ軸９を持ち、モータ軸９は、２つの反対の回転方向に、種々の回転速度で、駆動されることができる。該回転駆動ユニットは更に、モータ８のモータ軸９に接続された列歯車２１を有する。該回転駆動ユニットの回転運動は、モータ軸９を回転させるモータ８によって生成される。次いで、モータ軸９は、シャフト１４が接続された歯車２０を含む列歯車２１を回転させ、これによりシャフト１４自体が回転する。このことは当業者の一般知識であると考えられるため、詳細には説明されない。該列歯車は、モータ８及びシャフト１４の構成に応じて、１つ又は複数の歯車を有しても良いことは、理解されるべきである。
【００３９】
以上に説明されたように、シャフト１４は、フレーム１１の前方支持部１２及び後方支持部１３によって保持される。後方支持部１３は、切欠き部１８に隣接する領域においてシャフト１４を保持し、これにより該シャフトは、該後方支持部１３に対して軸方向に回転し動くことができる。シャフト１４は、該シャフトが回転する軸方向において、歯車２０に対して動くことが可能である。前方支持部１２は、畝のある端部１５の近くにおいて該シャフトに形成された円周方向の溝２４（図４参照）に配置された、ｅクリップ２３（図３参照）を備えて形成され、これによりシャフト１４は、回転することはできるが、前方支持部１２に対して軸方向に動くことは防止される。代替の図示されていない実施例においては、該前方支持部はｅクリップを備えず、該前方支持部が円周溝２４に直接に位置するよう構成される。
【００４０】
前方支持部１２は、フレーム１１に固定的に接続され、シャフトが該シャフトの長軸に沿って振動するときに、前方位置と後方位置との間で該シャフトが動くことを可能とする。
【００４１】
フレーム１１の前方支持部１２と後方支持部１３との間には、振動発生器２６の一部を形成する磁束アセンブリ２５が配置される。磁束アセンブリ２５は、シャフト１４を囲む軸受筒２７に形成される。軸受筒２７及び対応するシャフト１４の軸受面は、シャフト１４が磁束アセンブリ２５に対して自由に回転することを可能とする。
【００４２】
以下、図３及び５を参照しながら、磁束アセンブリ２５が説明される。
【００４３】
該磁束アセンブリは、好適には軟鉄のような軟磁性材料からつくられた、内側磁束収束器２８及び外側磁束収束器２９を有する。外側磁束収束器２９は、周縁側面パネル３２を持つ円形の基部パネル３１から形成される。内側磁束収束器２８は、ディスク状の形状とされ、図示されてはいないが、内側磁束収束器２８もまた、周縁側面パネルを備えて形成されても良いことは理解されるべきである。該内側磁束収束器は、外側磁束収束器２９内に位置し、該内側磁束収束器の周縁端３５と外側磁束収束器２９の周縁側面パネル３２との間に同心環状間隙３４が形成される。また、内側磁束収束器２８の平坦な面３６と外側磁束収束器２９の円形基部パネル３１との間にも、空間が形成される。外側磁束収束器２９の円形パネル３１及び内側磁束収束器２８は共に中心穴（図示されていない）を備えて形成され、該穴を通ってシャフト１４が延在する。
【００４４】
磁束アセンブリ２５は更に、内側磁束収束器２８の平坦な面３６と外側磁束収束器２９の円形基部パネル３１との間に配置された永久磁石３７を有する。磁石３７は好適には、ネオジム、鉄、ホウ素からつくられ、シャフト１４が通って延在できるような中心穴（図示されていない）を備えて形成されたディスク型の形状を持つ。磁石３７は、内側磁束収束器２８と同等の直径を持ち、磁石３７と外側磁束収束器２９の周縁側面パネル３２との間に環状の間隙３４が延在する。
【００４５】
ここで図５を参照すると、磁石３７の極性は永続的であり、Ｎ極及びＳ極が「Ｎ」及び「Ｓ」により表されている。磁石３７により発せられる磁場３８は、線３０により示されている。磁場３８はシャフト１４の長軸Ａに対して略径方向に向けられ、該シャフトのまわりに磁石３７が位置しており、磁石３７は内側磁束収束器２８と外側磁束収束器２９との間に挟持されているため、磁石３７により発せられる磁場３８の大部分は環状間隙３４のなかに含まれ、これにより大きな磁力が生成される。
【００４６】
磁束アセンブリ２５に加えて、振動発生器２６は更に、後方支持部１３に装着され、環状間隙３４のなかに配置可能な、ソレノイド３９を有する。ソレノイド３９は、多数回巻かれた絶縁された導電線４０を有し、磁石３７及び磁束収束器２８、２９と同心となるよう配置されるが、ソレノイド３９と磁束アセンブリ２５との間には接触がない。好適には、ソレノイド３９は、直径０．１５ｍｍで、１０．２Ｒの抵抗を持ち、２２０回巻かれた銅線からつくられる。
【００４７】
ソレノイド３９は、インバータ（図示されていない）を介して、バッテリ７に電気的に接続される。該インバータは、バッテリ７により供給される直流電流（ＤＣ）を交流電流（ＡＣ）に変換する。コイル状にされた導線３９を通って流れる交流電流は、内側磁束収束器２８と外側磁束収束器２９との間に挟持された磁石３７の永続的な磁場と相互作用する、交番する極性を持つ磁場を生成する。ソレノイド３９の交番極性の結果、磁石３７及びソレノイド３９は、互いに引き付けられることと反発されることとを交互に繰り返す。
【００４８】
上述したように、内側磁束収束器２８及び外側磁束収束器２９並びに磁石３７は、シャフト１７がこれらに対して自由に回転することができるように、軸受筒２７上に装着される。この配置は、軸受筒２７及び磁束アセンブリ２５が、軸方向Ａに動くことをも可能とする。ソレノイド３９は後方支持部１３に装着され、極性は交番するため、軸受筒２７及び磁束アセンブリ２５は、シャフト１４に沿って、ソレノイドに３９に向かって及びソレノイドに３９から離れるように動く。このことは、揺動又は振動する動きを生成し、以下に説明されるように、該動きが、止め部４１を介してｅクリップ２３及び後方支持部１３を介して前方支持部１２へと伝達される。
【００４９】
磁束アセンブリ２５を反発させる磁場が発せられることに帰着する方向に電流がソレノイド３９を通ると、磁束アセンブリ２５は、前方支持部１２に向かってシャフト１４に沿って急速に動く。該磁束アセンブリの前向きの動きは、該磁束アセンブリがｅクリップ２３に衝突すると停止させられる。このことは、前方に曲がる前方支持部１２によってシャフト１４に伝達される軸方向の力を生成し、これによりシャフト１４を前方の位置へと動かす。発せられる磁場が極性を変化させ、それにより該磁束アセンブリを引き付けるように、ソレノイド３９のなかの電流の方向が反転されると、磁束アセンブリ２５は、後方支持部１３に装着されたソレノイド３９に向かって急速に動き、後方支持部１３に形成された止め部４１を妨げる。この結果、ユーザが皮膚に軸受筒を押し付けることと合わせて、シャフト１４が後方の位置へと動く。電流の方向は交番しているため、該磁束アセンブリはシャフト１４に沿って振動又は揺動し、前方支持部１２におけるｅクリップ２３及び後方支持部１３における止め部４１に衝突して、長軸Ａの軸方向においてシャフト１４が振動又は揺動することに帰着する。
【００５０】
ｅクリップ２３及び止め部４１に衝突する磁束アセンブリ２５に起因する雑音を低減するため、湾曲したばねディスクのようなばね（図示されていない）が、ｅクリップ２３及び止め部４１に衝突する外側磁束収束器２９の一方の端又は両端に配置されても良い。該ばねは、磁束アセンブリ２５の運動量を低減させるが、シャフト１４が前方位置と後方位置との間で動くように十分な力が、ｅクリップ２３及び止め部４１に伝達される。該ばねは好適には、非金属の高い強度を持つ時効硬化ベリリウム銅合金からつくられる。公称のばねは３．２Ｎ／ｍｍのばね定数を持ち、従って８０Ｈｚの周波数におけるばね定数は２．８Ｎ／ｍｍであり、１１０Ｈｚの周波数におけるばね定数は５．３Ｎ／ｍｍである。
【００５１】
装置１は更に、交流電流の周波数を変化させる周波数変換器（図示されていない）を有し、これによって磁束アセンブリ２５の結果的な振動が変化させられる。好適な実施例においては、該周波数変換器は、２つのモードの間、即ち８０Ｈｚである第１のモードと１１０Ｈｚである第２のモードとの間で、周波数を変換するように構成される。より高い周波数は、低い周波数に比べて、磁束アセンブリの方向変化が高速となり、高い運動量を持って磁束アセンブリがｅクリップ２３及び止め部４１に衝突することを防止するため、低い周波数モードよりは可聴ではない雑音をもたらす。
【００５２】
振動発生器２６の構成要素がシャフト１４に力学的に接続されていないという事実は、振動運動が回転運動とは別個に制御されることに帰着する。それ故、装置１は種々のモードで動作するように構成されることができる。例えば、動作スイッチが、３つの回転速度：０、１８０及び２５０ｒｐｍ、並びに３つの振動周波数：０、８０及び１１０Ｈｚに基づいた、８個の動作モードに対応する８個の設定を持ち得る。モードの組み合わせは、以下の表に列記される。
【表１】
0006335893.tif 000002
【００５３】
該装置は更に、ユーザ入力に応じて種々の動作モードを制御するように構成された制御器（図示されていない）を有する。例えば、ユーザがスイッチを第１の設定へと切り換えて、該装置が第１の動作モードで動作するようにした場合、該制御器は、電流をモータ８に供給するようにバッテリ７を動作させ、シャフト１４及びブラシ３が１８０ｒｐｍで回転するようにモータ８を動作させる。同時に、該制御器は、振動発生器２６に電流を供給するようにバッテリ７を動作させる。該制御器は更に、直流電流を交流電流に変換するようにインバータを動作させる。該制御器はまた、周波数変換器を８０Ｈｚに設定する。その結果、振動発生器２６は、シャフト１４及びブラシ３を、軸方向に８０Ｈｚで振動させる。
【００５４】
ユーザがその後、該スイッチを押す又は動かすことにより動作モードを動作モード５へと変更すると、該制御器は、バッテリ７からモータ８への電流の供給をスイッチオフするが、シャフト１４及びブラシ３が軸方向にのみ動くように振動発生器２６を動作させ続ける。ユーザがその後、動作モードを動作モード６へと変更すると、該制御器は、周波数変換器が交流電流の周波数を増大させて、シャフト１４のより強い振動に帰着させるように、該周波数変換器を動作させる。
【００５５】
該装置はこれらの８つの動作モードに限定されるものではないことは、理解されるべきである。該装置は、より多い又はより少ない振動周波数及び／又は回転速度を有しても良く、それにより、より多い又はより少ない動作モードを有しても良い。
【００５６】
図示されていない代替の実施例においては、該装置は２つの別個のスイッチ、即ち、シャフト１４及びブラシ３の回転を制御するための第１のスイッチ、及びシャフト１４及びブラシ３の振動を制御するための第２のスイッチを有する。該第１のスイッチは、４つの回転速度：０、１８０、２２０及び２５０ｒｐｍに対応する４つの設定を持っても良く、該第２のスイッチは、４つの振動周波数：０、８０、１００及び１１０Ｈｚに対応する４つの設定を持っても良い。斯くして、該装置は、合計で１５個の動作モードを持つように構成される。有利にも、ユーザは、これら２つのスイッチを互いとは独立して操作することができ、ブラシ３の回転運動と振動運動との所望の組み合わせを得ることができる。該２つの別個のスイッチは、各々が４つの設定を持つことに限定されるものではなく、例えば各スイッチがそれぞれ３つの設定を持ち、該装置が合計で８個の動作モードを持つように構成されても良いことは、理解されるべきである。
【００５７】
装置１が振動モードで動作させられている場合には、シャフト１４及びブラシ３が、シャフト１４の長軸Ａに平行な方向に振動又は移動する。斯くして、該装置が使用されているとき、ブラシ３及びシャフト１４が、皮膚に略垂直に振動又は移動し、皮膚に対する洗浄及びマッサージ効果を改善する。
【００５８】
有利にも、以上に説明された該装置の構成は、振動運動と回転運動とが、ユーザに好みに応じて別個に調節されることを可能とする。
【００５９】
装置１は、ブラシ３を有することに限定されるものではなく、角質除去のための粗い面又はマッサージ用の突起を有する面を持つ、代替の皮膚処置部を有しても良いことは、理解されるべきである。
【００６０】
図示されていない代替の実施例においては、振動発生器２６が逆に構成され、ソレノイド１９が前方支持部１２に装着され、シャフト１４が後方支持部１３が位置する溝を備えて形成される。
【００６１】
更に別の実施例においては、前方支持部１２及び後方支持部１３の両方がフレーム１１に固定的に接続され、シャフト１４が後方支持部１３が位置する第２の周縁溝を備えて形成され、振動発生器と前方支持部１２及び後方支持部１３との衝突が、前方位置と後方位置との間でシャフト１４を軸方向に振動させ又は動かす。
【００６２】
内側磁束収束器２８及び外側磁束収束器２９、永久磁石３７、並びにソレノイド３９は、シャフトの長軸を横切る円形の断面を持つことに限定されるものではないことも、理解されるべきである。例えば、これら構成要素は全て、正方形又は長方形の断面を持っていても良い。
【００６３】
「有する（comprising）」なる語は他の要素又はステップを除外するものではなく、「１つの（a又はan）」なる語は複数を除外するものではないことは、理解されるであろう。単一のプロセッサが、請求項に列記された幾つかのアイテムの機能を実行しても良い。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【００６４】
請求項は特徴の特定の組み合わせに向けたものであるが、本発明の開示の範囲は、いずれかの請求項において現在請求されているものと同一の発明に関するものであろうとなかろうと、また本発明が軽減するものと同一の技術的課題のいずれか又は全てを軽減するものであろうとなかろうと、明示的若しくは暗黙的にここで開示されたいずれの新規な特徴若しくは特徴の新規な組み合わせ、又はその一般化をも含むことは、理解されるべきである。本出願人はここで、本出願又は本出願から導かれるいずれかの更なる出願の手続きの間に、斯かる特徴及び／又は斯かる特徴の組み合わせに対して、新たな請求項が作成され得ることを注記しておく。
【図１】
0006335893.tif 000003
【図２】
0006335893.tif 000004
【図３】
0006335893.tif 000005
【図４】
0006335893.tif 000006
【図５】
0006335893.tif 000007